(57)【要約】      （修正有）【課題】オーディオアンプの安全性を改善するシステムおよび方法を提供する。【解決手段】オーディオアンプ１００において、複数のアンプ段１０５Ａ〜１０５Ｃの出力に選択的に結合された安定抵抗器１１０と、前記複数のアンプ段のうち少なくとも１つは入力トランスコンダクタンスを選択的に設定する回路系１０６を有する。複数のアンプ段のうち少なくとも１つが第１の入力トランスコンダクタンスに設定されて安定抵抗器が複数のアンプ段の出力に結合される第１動作モードと、複数のアンプ段のうち少なくとも１つが第１の入力トランスコンダクタンスより低い第２の入力トランスコンダクタンスに設定されて、安定抵抗器が複数のアンプ段の出力から切り離される第２動作モードを含む。さらに、オーディオ入力振幅レベルを検出し、振幅レベルに基づいて、２つの動作モードのうち１つを決定する。【選択図】図１
2019193265.tif 000002
【特許請求の範囲】
【請求項１】
複数のアンプ段と、前記複数のアンプ段の出力に選択的に結合された安定抵抗器と、を備えたオーディオアンプ回路の入力でオーディオ入力信号を受信することを含み、前記複数のアンプ段のうち少なくとも１つは可変入力トランスコンダクタンスを有し、
前記オーディオアンプ回路が、
複数のアンプ段のうち少なくとも１つが第１の入力トランスコンダクタンスに設定されて安定抵抗器が複数のアンプ段の出力に結合される第１動作モードと、
複数のアンプ段のうち少なくとも１つが前記第１の入力トランスコンダクタンスより低い第２の入力トランスコンダクタンスに設定されて、前記安定抵抗器が複数のアンプ段の出力から切り離される第２動作モードと、を含む少なくとも２つの動作モードを有し、
さらに、前記オーディオ入力信号に関連する振幅レベルを検出し、
前記振幅レベルに対応する少なくとも２つの動作モードのうち１つを決定し、
前記アンプ段のうち少なくとも１つの入力トランスコンダクタンスを適応的に調節して、前記安定抵抗器を、前記決定された少なくとも２つの動作モードのうち１つに基づいて選択的に結合することを含む方法。
【請求項２】
前記第１動作モードが小信号モードを含み、前記第２動作モードが大信号モードを含む、請求項１に記載の方法。
【請求項３】
前記少なくとも２つの動作モードのうち１つを決定することがさらに、小信号モード閾値と大信号モード閾値のうち１つを含む１つの信号モード閾値を選択することを含む、請求項２に記載の方法。
【請求項４】
前記少なくとも２つの動作モードのうち１つを決定することがさらに、
前記オーディオ入力信号を前記信号モード閾値と比較し、
前記比較に基づいて信号モード検出信号を供給することを含み、前記信号モード検出信号は、小信号モード検出信号と大信号モード検出信号のうち１つを含む、請求項３に記載の方法。
【請求項５】
前記供給することが、前記小信号モード検出信号を所定期間にわたり確認することを含む、請求項４に記載の方法。
【請求項６】
前記期間が約１００ミリ秒である、請求項５に記載の方法。
【請求項７】
前記安定抵抗器は１００オーム安定抵抗器を備え、適応的に調節することが、前記小信号モードでは前記１００オーム安定抵抗器を前記複数のアンプ段の出力に結合し、前記大信号モードでは前記１００オーム安定抵抗器を前記複数のアンプ段の出力から切り離すことを含む、請求項２に記載の方法。
【請求項８】
前記複数のアンプ段は、前記オーディオ入力信号を受信する第１アンプ段を備えた３段のアンプ段を備え、前記適応的に調節することは、前記第１アンプ段用に可変入力トランスコンダクタンスを調節することを含む、請求項１に記載の方法。
【請求項９】
前記オーディオアンプ回路はヘッドフォンアンプを備えている請求項１に記載の方法。
【請求項１０】
前記オーディオアンプ回路の出力に結合されて、前記オーディオ入力信号に関連する増幅オーディオ信号を受信するように構成されたスピーカをさらに備えた請求項１に記載の方法。
【請求項１１】
複数のアンプ段と、前記複数のアンプ段の出力に選択的に結合された安定抵抗器と、を備えたオーディオアンプ回路を備え、前記複数のアンプ段のうち少なくとも１つは可変入力トランスコンダクタンスを有し、前記オーディオアンプ回路は、オーディオ入力信号を受信して、
複数のアンプ段のうち少なくとも１つにおける第１の入力トランスコンダクタンスを有し、前記安定抵抗器が前記アンプ段の出力に結合される第１動作モードと、
前記複数のアンプ段のうち少なくとも１つにおける第２の入力トランスコンダクタンスを有し、前記第２の入力トランスコンダクタンスが前記第１の入力トランスコンダクタンスより低く、前記安定抵抗器が前記複数のアンプ段の出力から切り離される第２動作モードと、を含む少なくとも２つの動作モードに従ってオーディオ入力信号を増幅するように動作可能であり、
さらに、前記オーディオアンプ回路に結合されて、前記オーディオ入力信号を受信して前記オーディオ入力信号を信号モード閾値と比較して信号モード検出信号を供給するように動作可能な振幅検出回路と、
前記振幅検出回路に結合されて、前記信号モード検出信号を受信して前記複数のアンプ段のうち少なくとも１つの可変入力トランスコンダクタンスを調節するように動作可能なアンプ切替回路と、
前記振幅検出回路に結合されて、前記安定抵抗器を前記複数のアンプ段の出力に選択的に結合し選択的に切り離すように動作可能な負荷切替回路と、を備えたシステム。
【請求項１２】
前記第１動作モードが小信号モードを含み、前記第２動作モードが大信号モードを含む請求項１１に記載のシステム。
【請求項１３】
振幅検出回路はさらに、小信号モード閾値と大信号モード閾値のうち１つを含む１つの信号モード閾値を選択するように動作可能である、請求項１２に記載のシステム。
【請求項１４】
前記振幅検出回路はさらに、前記オーディオ入力信号を前記信号モード閾値に比較して、前記比較器の出力に基づいて信号モード検出信号を供給するように動作可能な比較器を備え、前記信号モード検出信号は小信号モード検出信号と大信号モード検出信号のうち１つを含む請求項１１に記載のシステム。
【請求項１５】
前記振幅検出回路がさらに、前記小信号モード検出信号の供給を或る遅延期間にわたり遅延させるように動作可能な遅延回路を備え、前記小信号モード検出信号は、前記信号モード検出信号が前記遅延期間中に変化のない状態を保った場合に供給される、請求項１４に記載のシステム。
【請求項１６】
前記遅延期間は約１００ミリ秒である請求項１５に記載のシステム。
【請求項１７】
前記安定抵抗器は１００オーム安定抵抗器を備え、前記負荷切替回路は、前記小信号モードでは前記１００オーム安定抵抗器を前記複数のアンプ段の出力に結合し、前記大信号モードでは前記１００オーム安定抵抗器を前記複数のアンプ段の出力から切り離すように動作可能である、請求項１２に記載のシステム。
【請求項１８】
前記複数のアンプ段は３段のアンプ段を備え、前記アンプ切替回路は、第１のアンプ段の可変入力トランスコンダクタンスを調節して、第１モード向けのより高い入力トランスコンダクタンスと、第２モード向けのより低い入力トランスコンダクタンスを提供するように動作可能である、請求項１１に記載のシステム。
【請求項１９】
前記オーディオアンプ回路はヘッドフォンアンプを備えている請求項１１に記載のシステム。
【請求項２０】
前記オーディオアンプ回路の出力に結合されて、前記オーディオ入力信号に関連する増幅オーディオ信号を受信するように動作可能なスピーカをさらに備えた請求項１１に記載のシステム。
【発明の詳細な説明】
【技術分野】
【０００１】
本開示は、１つ以上の実施形態によれば、一般にオーディオアンプに関し、より詳細には例えば、高性能オーディオアンプ内での信号安定性の改善に関する。
【背景技術】
【０００２】
ラップトップコンピュータ、コンピュータタブレット、ＭＰ３プレーヤーおよびスマートフォンなどの多くの現代の機器は内部ヘッドフォンアンプを利用したヘッドフォン接続性を提供する。ヘッドフォンアンプは、ヘッドフォン実装における変動に基づいて負荷インピーダンスが劇的に変化し得るため、安定化が難しいことが知られている。例えば、ヘッドフォンインピーダンスは、ヘッドフォンモデルまたはヘッドフォン製造者によって、非常に容量性であることから、非常に誘導性、またはほぼ抵抗性であることに変動する可能性がある。現代の機器の小型化と、そのような小型化によって引き起こされる熱放散における制約により、現行のヘッドフォンアンプにおいて性能を維持するための現行の解決策は常に実用的であるとは限らない。したがって、ヘッドフォンアンプなどのアンプを組み込んだ現代の機器において高性能を維持するために、アンプの安定性とノイズ性能を改善するニーズが継続して存在する。
【発明の概要】
【課題を解決するための手段】
【０００３】
本開示は、外部スピーカ接続性を組み込んだオーディオアンプを含む現代の機器などの現代の機器で使用されるアンプの安定性を改善する、当技術分野におけるニーズに対処するシステムおよび方法を提供する。本開示の範囲は、本セクションに参照により組み込まれる請求項によって定義される。本開示のさらに完全な理解ならびにその付加的な利点の実現は、以下の、１つ以上の実施形態の詳細な説明を考慮することによって、当業者に利用可能となろう。添付の図面のシートを参照し、先ずそれらを簡潔に説明する。
【０００４】
本開示の態様と、それらの利点は、以下の図面とそれに続く詳細な説明を参照すればより良く理解されよう。類似した参照符号は、図面のうち１つ以上で示される類似した要素を識別するために用いられ、その提示は本開示の実施形態を例証するためであって、本開示の実施形態を限定するためではないことを理解されたい。図面内の構成要素は必ずしも一定の縮尺ではなく、代わりに、本開示の原理を明確に示すために強調が行われている。
【図面の簡単な説明】
【０００５】
【図１】本開示の一実施形態によるハイファイ安定オーディオアンプの代表的模式図である。
【図２Ａ】本開示の実施形態による入力オーディオアンプ回路の代表的模式図である。
【図２Ｂ】本開示の実施形態による入力オーディオアンプ回路の代表的模式図である。
【図２Ｃ】本開示の実施形態による入力オーディオアンプ回路の代表的模式図である。
【図３Ａ】本開示の実施形態によるプログラマブル入力トランスコンダクタンス回路の代表的模式図である。
【図３Ｂ】本開示の実施形態によるプログラマブル入力トランスコンダクタンス回路の代表的模式図である。
【図４】本開示の実施形態によるハイファイ安定オーディオ増幅の方法を示すフローチャートである。
【発明を実施するための形態】
【０００６】
本開示は、外部スピーカ機能性を組み込んだ現代の機器において高性能を維持するためにオーディオアンプの安全性を改善するという当技術分野におけるニーズに対処するシステムおよび方法を提供する。一実施形態において、本開示のオーディオアンプは、オーディオ入力信号を受信して、増幅オーディオ信号をスピーカに供給するように構成された２つ以上の増幅段を含む。一部の実施形態において、スピーカは、ヘッドフォンまたはその他のタイプのポータブルオーディオ機器内で実装されてよい。本明細書に記載の回路系および技法は、改善された安定性と低ノイズが望まれる種々のアンプ実装に適用可能であり得ることを理解されたい。
【０００７】
図１は、本開示の一実施形態によるハイファイ安定オーディオアンプ１００の代表的模式図を示す。一部の実施形態において、図１のハイファイ安定オーディオアンプ１００は、オーディオコーデック回路の一部を形成する。様々な実施形態において、ハイファイ安定オーディオアンプ１００は、オーディオアンプ回路１０５と、振幅検出回路１１２と、アンプ切替回路１１４と負荷切替回路１１６を含む。ハイファイ安定オーディオアンプ１００はオーディオ入力信号１０２を受信し、オーディオ入力信号１０２を処理して、ヘッドフォン、モバイル電話、ラップトップコンピュータ、タブレット、オーディオ／ビデオシステム、またはその他の同様な機器で実施され得る複合インピーダンススピーカ負荷１３５を駆動するための増幅オーディオ出力信号を提供する。様々な実施形態において、複合インピーダンススピーカ負荷１３５は容量素子１３５Ａと、誘導素子１３５Ｂと抵抗素子１３５Ｃを含む。本明細書で述べるように、タイプ、製造者および／またはモデルによって、複合インピーダンススピーカ負荷１３５は、高容量性、高誘導性および／または高抵抗性であり得る。エンドユーザは、小入力信号設定でのノイズを最も気にするが、それはノイズがユーザの聞く楽しみにこのレベルで最も大きく影響するからである。この関連で、本明細書で述べるように、多くの現代の機器で使用されている従来型オーディオアンプが、低電力消費を依然として維持しながら、特に小信号レベルでの複合インピーダンススピーカ負荷１３５の負荷変動にわたり低ノイズレベルおよび信号安定性などの高オーディオ性能を提供するのは困難である。
【０００８】
示された実施形態において、オーディオアンプ回路１０５は、第１段アンプ１０５Ａと、第２段アンプ１０５Ｂと、第３段アンプ１０５Ｃを含む３段のアンプ段を備える。様々な実施形態において、入力オーディオ段アンプ１０５Ａ（本明細書では第１アンプ段とも呼ばれる）は、入力トランスコンダクタンスを選択的に設定するための回路系１０６（例えば、複数のトランスコンダクタンス段）を含む可変トランスコンダクタンスアンプである。動作時に、ハイファイ安定オーディオアンプ１００のコンポーネントはオーディオ入力信号１０２を検出して、第１アンプ段１０５Ａの入力トランスコンダクタンスと、オーディオアンプ回路１０５の出力に結合された安定抵抗器１１０を検出に基づいて調節する。この関連で、ダイナミックオーディオアンプ構成は、アンプの安定性と電力消費低減を維持するために、変動するオーディオ入力信号１０２の振幅に応動する。例えば、オーディオアンプ回路１０５を高入力トランスコンダクタンスに調節するとノイズを大幅に低減する。しかしながら、高入力トランスコンダクタンスは信号安定性に影響する可能性があるため、そのような影響を低減するために、安定抵抗器１１０がアンプ回路１０５の出力に結合されている。ノイズがユーザに最も気付かれやすい小信号モード動作中に、高入力トランスコンダクタンスと安定抵抗器１１０は低ノイズと安定性をもたらす。小信号モード動作中は安定抵抗器を通る電流が低いため、電力消費は減少される。
【０００９】
さらに、大信号モードで動作する場合、オーディオアンプ回路１０５入力のトランスコンダクタンスは低減される可能性があり、安定抵抗器１１０はオーディオアンプ回路１０５から切り離されてよい。例えば、大信号モードで動作する間、ノイズはユーザによってより気付かれにくく、入力トランスコンダクタンスは低減され得る。さらに、大信号モード動作ではアンプ回路１０５がより安定化され得るため、安定抵抗器１１０はオーディオアンプ１０５の出力から切り離されてよく、安定抵抗器１１０を切り離すことによって電力消費が低減され得る。この関連で、ハイファイ安定オーディオアンプ１００は、ダイナミックレンジ要求が全高調波歪にノイズを加算したもの（ＴＨＤ＋Ｎ）より高い任意のアンプで実施されてよい。一部の実施形態において、ハイファイ安定オーディオアンプ１００は、約１２０〜１３０ｄＢの範囲の仕様のダイナミックレンジと、約１００〜１０５ｄＢの範囲の仕様のＴＨＤ＋Ｎで実施される。
【００１０】
一実施形態において、入力オーディオアンプ段１０５Ａは、選択的に調節可能な入力トランスコンダクタンスを備えたプログラマブル入力トランスコンダクタンスアンプである。一部の実施形態において、入力トランスコンダクタンスはアンプ切替回路１１４によって調節可能であり得る。例えば、入力オーディオアンプ段１０５Ａは、第１動作モードで高入力トランスコンダクタンスを提供し、第２動作モードでより低い入力トランスコンダクタンスを提供するためにアンプ切替回路１１４によって調節可能であり得る。一部の実施形態において、第１動作モードは小信号モードであってよく、第２動作モードは大信号モードであってよい。別の実施形態では、入力オーディオアンプ段１０５Ａは、アンプ切替回路１１４に応答してトランスコンダクタンスを調節するように動作可能な他のアンプ回路構成を含んでよい。
【００１１】
図示のように、オーディオ入力信号１０２はオーディオ入力信号の差動対を備えてよく、入力オーディオアンプ段１０５Ａは、オーディオ入力信号の差動対を、プラス（＋）とマイナス（−）の入力端子で受信して、オーディオアンプ回路１０５Ａ内を通過するにつれて差動対オーディオ入力信号を処理する（例えば増幅する等）ように構成される。回路系１０６を選択的に切り替えることによって、ハイファイ安定オーディオアンプ１００は、オーディオアンプ回路１０５の動作の信号モード（例えば、大信号モードまたは小信号モード）に基づいて修正されることが可能な可変入力トランスコンダクタンスを提供する。オーディオアンプ回路１０５は、シングルエンド入力信号、差動カレントソース信号および／または差動電圧ソース信号などの種々のタイプの入力信号を受信してよく、そのような信号を、差動オーディオ入力信号１０２に関して本明細書に記載したのと同様な方式で処理してよいことを理解されたい。
【００１２】
振幅検出回路１１２は入力オーディオアンプ段１０５Ａの入力端子＋および−に結合されて、オーディオ入力信号の差動対１０２を振幅検出回路１１２の第１入力端子で受信してよい。振幅検出回路１１２はまた、信号モード閾値１１８を第２の入力端子で受信する。一部の実施形態において、振幅検出回路１１２は入力信号１０２の振幅レベルを信号モード閾値１１８と比較して振幅検出出力信号１２２を提供する比較器として実施される。振幅検出出力信号１２２は、２進ハイ状態と２進ロー状態をアンプ切替回路１１４および負荷切替回路１１６に提供する。
【００１３】
一部の実施形態において、信号モード閾値１１８は小信号モード閾値および大信号モード閾値として実施される。一部の実施形態において、大信号モード閾値はマイナス５５ｄＢに調節されてよく、小信号モード閾値はマイナス１００ｄＢに調節されてよい。この関連で、約マイナス１００ｄＢの入力信号１０２の振幅レベルが小信号モード信号として検出され、振幅検出回路１１２は２進ロー状態（例えば、小信号モード検出信号）を提供する。代替的に、約マイナス５５ｄＢの入力信号１０２の振幅レベルが大信号モード信号として検出され、振幅検出回路１１２は２進ハイ状態（例えば、大信号モード検出信号）を提供する。信号モード閾値１１８は他の実施形態では他の値に設定され得ることを理解されたい。一部の実施形態において、振幅検出回路１１２は、入力信号１０２の振幅レベルが信号モード閾値１１８以下であった場合に振幅検出出力信号１２２に所定期間の遅延を付加するように構成された時間遅延回路１１２Ａを含む。一部の実施形態において、時間遅延回路１１２Ａはカウンタとして実施される。様々な実施形態において、時間遅延は約１００ミリ秒であるが、他の実施形態では、例えば５０〜１００ミリ秒等の他の時間遅延も可能である。
【００１４】
アンプ切替回路１１４は振幅検出出力信号１２２に結合され、入力オーディオアンプ段１０５Ａの入力トランスコンダクタンスを振幅検出出力信号１２２に基づいて適応的に調節するように構成されている。この関連で、アンプ切替回路１１４は、入力信号１０２の振幅レベルが小信号モード入力信号として検出された場合に入力オーディオアンプ段１０５Ａ内の入力トランスコンダクタンスを増加させてよい。一部の実施形態において、アンプ切替回路１１４は、入力信号１０２の振幅レベルが大信号モード入力信号として検出された場合に入力オーディオアンプ段１０５Ａの入力トランスコンダクタンスを減少させてよい。この関連で、ハイファイ安定オーディオアンプ１００は、オーディオアンプ回路１０５の信号モード（例えば、大信号モードまたは小信号モード）動作に基づいて調節されることができる可変入力トランスコンダクタンスを提供する。
【００１５】
負荷切替回路１１６は振幅検出出力信号１２２に結合され、オーディオアンプ回路１０５の出力に結合された安定抵抗器１１０を適応的に調節するように構成されている。例えば、負荷切替回路１１６は、入力信号１０２の振幅レベルが大信号モード信号として検出された場合にオーディオアンプ回路１０５の出力から安定抵抗器１１０を切り離すように構成される。安定抵抗器１１０は、スイッチ１１６Ａおよび１１６Ｂを開くことによってオーディオアンプ回路１０５の出力から切り離される。スイッチ１１６Ａは安定抵抗器１１０の第１の端部に接続されたワイパエンドと、オーディオアンプ回路１０５の正出力端子と複合インピーダンススピーカ負荷１３５の第１端部に結合されたターミナルエンドを含む。スイッチ１１６Ｂは、安定抵抗器１１０の第２の端部に接続されたワイパエンドと、オーディオアンプ回路１０５の負出力端子と複合インピーダンススピーカ負荷１３５の第２端部に結合されたターミナルエンドを含む。この関連で、安定抵抗器１１０は、入力信号１０２の振幅レベルが大信号モード信号であった場合に安定抵抗器１１０を通る電流を減少させるために切り離されて、ハイファイ安定オーディオアンプ１００の電力消費と熱放散を低減する。
【００１６】
さらに、負荷切替回路１１６は、入力信号１０２の振幅レベルが小信号モード信号として検出された場合にオーディオアンプ１０５に安定抵抗器１１０を結合するように構成される。この関連で、安定抵抗器１１０は、電力消費を有意に増加させずにハイファイ安定オーディオアンプ１００の安定性を維持するために、入力信号１０２の振幅レベルが小信号モード信号である期間中に結合されてもよい。重要なことに、時間遅延回路１１２Ａは、望ましくない高電流消費を回避するために、入力信号１０２の振幅レベルが小信号モード信号であり続けることを確実にするために時間遅延を付加するように構成される。一部の実施形態において、安定抵抗器１１０は１００オーム安定抵抗器１１０である。しかしながら、他の実施形態において安定抵抗器１１０は他の値であってよい。
【００１７】
図２Ａ〜Ｃは、本開示の実施形態による様々な入力オーディオアンプ回路の代表的模式図を示す。この関連で、図２Ａに示すように、入力オーディオアンプ回路は、差動電圧入力オーディオアンプ回路２０５として実施されてよい。デジタル−アナログコンバータ（ＤＡＣ）２０６は、差動電圧信号２０７Ａおよび２０７Ｂをそれぞれ、非反転（＋）および反転（−）入力端子で提供する。この実施形態において、入力オーディオアンプ回路２０５は、ＤＡＣ２０６からの差動出力電圧を処理するための差動アンプとして構成される。
【００１８】
図２Ｂは、入力オーディオアンプ回路２１０が、カレントソース２１２Ａおよび２１２Ｂから差動電流信号２１１Ａおよび２１１Ｂをそれぞれ非反転（＋）および反転（−）入力端子で受信するように構成され得ることを示している。この実施形態において、入力オーディオアンプ回路２１０は、差動電流信号２１１Ａおよび２１１Ｂを処理する差動アンプとして構成される。図２Ｃは、入力オーディオアンプがシングルエンドオーディオアンプ回路２１５として実施され得ることを示している。ＤＡＣ２１６は、電圧信号２１６Ａを非反転（＋）端子で供給する。反転（−）入力端子での電圧信号２１６Ｂは、抵抗器２１７を介して接地に接続されている。この実施形態において、入力オーディオアンプ回路２１５は、ＤＡＣ２１６からのシングルエンド出力電圧信号２１６Ａおよび２１６Ｂを処理するシングルエンドアンプとして構成される。
【００１９】
図３Ａ〜Ｂは、本開示の実施形態によるプログラマブル入力トランスコンダクタンス回路の代表的模式図を示す。図３Ａに示すように、プログラマブル入力トランスコンダクタンス回路３０５はカレントソース３０６Ａ〜Ｃで構成されてよい。この関連で、カレントソース３０６Ａは、スイッチ３０７Ａ〜Ｃを用いて切り替えられてよく、プログラマブル入力トランスコンダクタンスはトランジスタ３０Ａ〜Ｃによって制御されてよい。ミラープログラマブル入力トランスコンダクタンス回路３０５は、スイッチ３０７Ｄ〜Ｆおよびトランジスタ３０８Ｄ〜Ｆによって制御されるカレントソース３０６Ｂを用いて実施されてよい。図３Ｂは、別のプログラマブル入力トランスコンダクタンス回路３１０を示す。この関連で、カレントソース３１１Ａはトランジスタ３１２Ａによって制御され、スイッチ３１３Ａ〜Ｃはそれぞれカレントソース３１４Ａ〜Ｃに接続する。プログラマブル入力トランスコンダクタンス回路３１０は、カレントソース３１１Ｂと、トランジスタ３１２Ｂと、入力トランスコンダクタンスのプログラム可能性を制御するスイッチ３１３Ａ〜Ｃも含む。それに関して、一部の実施形態において、プログラマブル入力トランスコンダクタンス回路３０５および３１０は、オーディオアンプ回路１０５の入力オーディオアンプ段１０５Ａ内の入力トランスコンダクタンスを制御するために電流と物理的サイズを変動させてよい。
【００２０】
図４は、本開示の一実施形態によるハイファイ安定オーディオ増幅のための方法４００を示すフローチャートである。方法４００は、入力信号１０２の振幅レベルを検出する（ステップ４１０）操作と、その振幅レベルを、大信号モード信号および小信号モード信号向けの信号モード閾値１１８と比較する（ステップ４２０）操作を含む。ステップ４１０と４２０の操作は、例えば振幅検出回路１１２によって実行されてよい。方法４００はさらに、オーディオアンプ回路１０５の入力トランスコンダクタンスを調節するために、オーディオアンプ回路１０５の入力オーディオアンプ段１０５Ａの入力トランスコンダクタンスを、大信号モードおよび小信号モード閾値１１８に入力信号１０２の振幅レベルを比較することに基づいて調節する（ステップ４３０）操作を含んでよい。方法４００はさらに、アンプの安定性を維持してハイファイ安定オーディオアンプ１００内の電力消費と熱放散を低減するために、比較に基づいて安定抵抗器１１０を結合する操作（ステップ４４０）を含んでよい。
【００２１】
該当する場合、本開示によって提供される種々の実施形態は、ハードウェア、ソフトウェア、またはハードウェアとソフトウェアの組み合わせを用いて実施されてよい。さらに、該当する場合、本明細書に記載の種々のハードウェアコンポーネントおよび／またはソフトウェアコンポーネントは、本開示の趣旨から逸脱せずに、ソフトウェア、ハードウェアおよび／またはそれら両方を備えた複合コンポーネントに統合されてもよい。該当する場合、本明細書に記載の種々のハードウェアコンポーネントおよび／またはソフトウェアコンポーネントは、本開示の範囲から逸脱せずに、ソフトウェア、ハードウェアおよび／またはそれら両方を備えたサブコンポーネントに分割されてもよい。さらに、該当する場合、ソフトウェアコンポーネントがハードウェアコンポーネントとして実施され得る、およびハードウェアコンポーネントがソフトウェアコンポーネントとして実施され得ることが想定される。
【００２２】
プログラムコードおよび／またはデータなどの、本開示によるソフトウェアは、１つ以上のコンピュータ可読媒体に記憶されてよい。本明細書で特定されたソフトウェアは、ネットワーク化されたおよび／または他様式の、１つ以上の汎用または特定目的コンピュータおよび／またはコンピュータシステムを用いて実施され得ることも想定される。該当する場合、本明細書に記載の種々のステップの順序は変更されても、複合ステップに統合されても、および／またはサブステップに分離されて本明細書に記載の特徴を提供してもよい。
【００２３】
以上の開示は本開示を、開示された厳密な形式または特定の使用分野に限定する意図はない。そのため、本明細書に明示的に記載されたにせよ暗示されたにせよ、本開示への種々の別の実施形態および／または変更が、本開示に照らして可能であることが想定される。以上、本開示について述べたが、当業者ならば、本開示の範囲から逸脱せずに形式および詳細に変更がなされ得ることを認識するであろう。したがって、本開示は請求項によってのみ限定される。
【符号の説明】
【００２４】
１００  ハイファイ安定オーディオアンプ
１０５  オーディオアンプ回路
１１２  振幅検出回路
１１４  アンプ切替回路
１１６  負荷切替回路
１３５  複合インピーダンススピーカ負荷
【図１】
2019193265.tif 000003
【図２Ａ】
2019193265.tif 000004
【図２Ｂ】
2019193265.tif 000005
【図２Ｃ】
2019193265.tif 000006
【図３Ａ】
2019193265.tif 000007
【図３Ｂ】
2019193265.tif 000008
【図４】
2019193265.tif 000009
【外国語明細書】
2019193265000001.pdf